(57)【要約】      （修正有）【課題】トンネル内の通路壁の設置に際しての複数の通路壁の高さ調整に関し、簡単に高さ調整が行える構造物の高さ調整装置を提供する。【解決手段】コンクリート製構造物の底部を略水平面として保持すべく底部の隅部のうち３か所以上の箇所に高さ調整装置を設けてなり、高さ調整装置は、３カ所以上の箇所に設けられた切り欠き空間４と、切り欠き空間内に取り付けられる、略中央に貫通孔を有し、貫通孔の端辺から貫通項の外側に向かって延びる貫通孔に連通する帯状切り欠き部が形成されたプレート７と、帯状切り欠き部に貫通孔内に差し込まれて、連通する帯状切り欠き部に取り付けられる、高さ方向の長さが調整可能とされてなる高さ調整具８とを有することを特徴とする。【選択図】図１
2018100527.tif 000002
【特許請求の範囲】
【請求項１】
コンクリート製構造物の底部を略水平面として保持すべく前記底部の隅部のうち３か所以上の箇所に高さ調整装置を設けてなり、
前記高さ調整装置は、前記３カ所以上の箇所に設けられた切り欠き空間と、該切り欠き空間内に取り付けられる、略中央に貫通孔を有し、該貫通孔の端辺から貫通孔の外側に向かって延びる貫通孔に連通する帯状切り欠き部が形成されたプレートと、
前記帯状切り欠き部に前記貫通孔内に差し込まれて、連通する帯状切り欠き部に取り付けられる、高さ方向の長さが調整可能とされてなる高さ調整具と、
を有することを特徴とする構造物の高さ調整装置。
【請求項２】
コンクリート製構造物の底部を略水平面として保持すべく前記底部の隅部のうち３か所以上の箇所に高さ調整装置を設けてなり、
前記高さ調整装置は、前記３カ所以上の箇所に設けられた切り欠き空間と、該切り欠き空間内に取り付けられる、外側に向かって開口を有し、構造物の中央部側に向かって延びる帯状切り欠き部が形成されたプレートと、
前記帯状切り欠き部に前記開口から差し込まれて取り付けられる、高さ方向の長さが調整可能とされてなる高さ調整具と、
を有することを特徴とする構造物の高さ調整装置。
【請求項３】
コンクリート製構造物の平面状底部を略水平面として保持すべく前記平面状底部の隅部のうち、前記水平面を保持する３か所以上の箇所に高さ調整装置を設けてなり、
前記高さ調整装置は、前記３カ所以上の箇所に設けられた方形体状の切り欠き空間と、該切り欠き空間内に取り付けられる、外側に向かって開口を有し、構造物の中央部側に向かって延びる帯状切り欠き部が形成されたプレートと、
前記帯状切り欠き部に前記開口から差し込まれて取り付けられる、高さ方向の長さが調整可能とされてなる高さ調整具と、
を有することを特徴とする構造物の高さ調整装置。
【請求項４】
前記高さ調整具は、雄ねじ部を有する棒状の高さ調整具本体と、
該高さ調整具本体の雄ねじ部が螺挿する雌ねじ部を有し、その外周端面には、前記プレートが有する帯状切り欠き部の両側辺および奥側端辺に嵌合する嵌合溝が設けられたナット状嵌合体と、
を備えて構成された、
ことを特徴とする請求項１、請求項２又は請求項３記載の構造物の高さ調整装置。
【発明の詳細な説明】
【技術分野】
【０００１】
本発明は、トンネル内の通路壁など構造物の高さ調整装置に関するものである。
【背景技術】
【０００２】
本件発明者は、すでに特許４２７８００４号に関する特許発明を開発している。
そして、多くの施工現場で前記特許４２７８００４号に関する特許発明につき、多くの実績を積み重ねてきている。
【０００３】
ここで、例えば、道路構築の際に用いられる複数の通路壁用部材についての高さ調整を行うには、あらかじめ構築した基礎部の上に間隔保持具を設置し、その上に前記の通路壁用部材を載せて複数の通路壁用部材の高さ調整を行っていたが、最終的に行う高さの微調整は困難なことが多かった。
【０００４】
尚、従来、前記の高さ調整に関しては、特開２０１０−７４２４の発明が提案されている。この発明は、例えば、通路壁用部材の下端部にナットを埋設し、長ボルトを螺合して、この長ボルトを回転させて高さを調整する方法である。しかしながら、トンネル内の通路壁の高さ調整に関しては、７０〜１００ｍｍほどの高さ調整間隔を設けておかなければならず、その場合、前記の長ボルトを何十回、何百回と回転させなければならず、きわめて高さ調整作業が面倒なものであった。
【先行技術文献】
【特許文献】
【０００５】
【特許文献１】特開２０１０−７４２４号公報
【発明の概要】
【発明が解決しようとする課題】
【０００６】
かくして、本発明は、前記従来の課題を解消するために創案されたものであり、例えばトンネル内の通路壁の設置に際しての複数の前記通路壁の高さ調整に関し、簡単に高さ調整が行える構造物の高さ調整装置を提供することを目的とするものである。
【課題を解決するための手段】
【０００７】
本発明は、
コンクリート製構造物の底部を略水平面として保持すべく前記底部の隅部のうち３か所以上の箇所に高さ調整装置を設けてなり、
前記高さ調整装置は、前記３カ所以上の箇所に設けられた切り欠き空間と、該切り欠き空間内に取り付けられる、略中央に貫通孔を有し、該貫通孔の端辺から貫通項の外側に向かって延びる貫通孔に連通する帯状切り欠き部が形成されたプレートと、
前記帯状切り欠き部に前記貫通孔内に差し込まれて、連通する帯状切り欠き部に取り付けられる、高さ方向の長さが調整可能とされてなる高さ調整具と、
を有することを特徴とし、
または、
コンクリート製構造物の底部を略水平面として保持すべく前記底部の隅部のうち３か所以上の箇所に高さ調整装置を設けてなり、
前記高さ調整装置は、前記３カ所以上の箇所に設けられた切り欠き空間と、該切り欠き空間内に取り付けられる、外側に向かって開口を有し、構造物の中央部側に向かって延びる帯状切り欠き部が形成されたプレートと、
前記帯状切り欠き部に前記開口から差し込まれて取り付けられる、高さ方向の長さが調整可能とされてなる高さ調整具と、
を有することを特徴とし
または、
コンクリート製構造物の平面状底部を略水平面として保持すべく前記平面状底部の隅部のうち、前記水平面を保持する３か所以上の箇所に高さ調整装置を設けてなり、
前記高さ調整装置は、前記３カ所以上の箇所に設けられた方形体状の切り欠き空間と、該切り欠き空間内に取り付けられる、外側に向かって開口を有し、構造物の中央部側に向かって延びる帯状切り欠き部が形成されたプレートと、
前記帯状切り欠き部に前記開口から差し込まれて取り付けられる、高さ方向の長さが調整可能とされてなる高さ調整具と、
を有することを特徴とし、
または、
前記高さ調整具は、雄ねじ部を有する棒状の高さ調整具本体と、
該高さ調整具本体の雄ねじ部が螺挿する雌ねじ部を有し、その外周端面には、前記プレートが有する帯状切り欠き部の両側辺および奥側端辺に嵌合する嵌合溝が設けられたナット状嵌合体と、
を備えて構成された、
ことを特徴とするものである。
【発明の効果】
【０００８】
本発明による構造物の高さ調整装置であれば、例えばトンネル内の通路壁の設置に際しての複数の前記通路壁の高さ調整に関し、簡単に高さ調整が行えるとの優れた効果を奏する。
【図面の簡単な説明】
【０００９】
【図１】本発明の構成を説明する構成説明図（１）である。
【図２】本発明の構成を説明する構成説明図（２）である。
【図３】本発明の構成を説明する構成説明図（３）である。
【図４】本発明の構成を説明する構成説明図（４）である。
【図５】本発明の構成を説明する構成説明図（５）である。
【図６】本発明の構成を説明する構成説明図（６）である。
【図７】高さ調整具の構成を説明する構成説明図（１）である。
【図８】高さ調整具の構成を説明する構成説明図（２）である。
【図９】高さ調整具の構成を説明する構成説明図（３）である。
【図１０】高さ調整具の構成を説明する構成説明図（４）である。
【図１１】高さ調整具の構成を説明する構成説明図（５）である。
【図１２】プレートの他の実施例の構成を説明する説明図（１）である。
【図１３】プレートの他の実施例の構成を説明する説明図（２）である。
【発明を実施するための最良の形態】
【００１０】
以下、本発明を図に基づいて説明する。
図において、符号１は鉄筋コンクリート製のトンネル内通路壁部材を示す。この鉄筋コンクリート製のトンネル内通路壁部材１は、垂直方向に立設される通路壁部２と該通路壁部２の下端より略直角方向へ折曲して連結され、略水平方向に向けて設置される通路壁固定部３とにより略Ｌ字状をなして構成されている（図２、図３参照）。
【００１１】
尚、図１、図４から理解されるように、通路壁固定部３は、通路壁部２の長手方向に向かい間隔をあけて例えば３箇所に連結されて設けられている。そして、３カ所の通路壁固定部３と通路壁固定部３との間には、この通路壁固定部３、ひいてはトンネル内通路壁部材１をトンネル内に固定するための固定用露出筋１５が設けられている。
【００１２】
図１に示すように、通路壁部２についての底面部においてその長手方向両側には略方形体状の切り欠き空間４、４が形成され、該切り欠き空間４内には、その切り欠き空間４の高さ方向略下側位置に外側に向かって開口５を有し、通路壁固定部３と通路壁部２との連結部側に向かって延びる略長方形状をなす帯状切り欠き部６が形成されてなる金属製のプレート７が前記通路壁固定部３の張り出し方向とほぼ平行になるよう取り付けられている。
【００１３】
このプレート７は、トンネル内通路壁部材１の内部に配筋されている鉄筋１８に溶接等により固定され、トンネル内通路壁部材１の切り欠き空間４内に強固に取り付けられる。
【００１４】
次に、符号８は、高さ調整具であり、該高さ調整具８は、雄ねじ部９を有する棒状をなす高さ調整具本体１０と、この高さ調整具本体１０の雄ねじ部９が螺挿する雌ねじ部１１を有し、その外周端面には、前記プレート７が有する帯状切り欠き部６の両側辺１２、１２および奥側端辺１３に嵌合する嵌合溝１４を有する略四角形状をなすナット状の嵌合体１６とを備えて構成されている。
【００１５】
そして、図に示すように、３カ所ある通路壁固定部３のうち真ん中の通路壁固定部３においても切り欠き空間４が設けられ、該切り欠き空間４内には帯状切り欠き部６が設けられたプレート７が取り付けられている。
【００１６】
尚、本実施例では通路壁部２についての底面部においてその長手方向両側には略方形体状の切り欠き空間４、４が形成され、３カ所ある通路壁固定部３のうち真ん中の通路壁固定部３において切り欠き空間４が設けられて都合３カ所にプレート７が取り付けられているがこれに限定されるものではなく、さらに通路壁部２についての底面部においてその長手方向中間位置に切り欠き空間４を設けてプレート７を取り付けても構わないし、また３カ所ある通路壁固定部３のすべてに切り欠き空間４を設けてプレート７を取り付けても構わない。
【００１７】
以上において次に、本発明による高さ調整具８を使用してトンネル内通路壁部材１を高さ調整しながら設置する方法につき説明する。
【００１８】
前記トンネル内通路壁部材１のプレート７に設けられた帯状切り欠き部６内に、あらかじめ所定の高さに調整した高さ調整具８の嵌合体１６を開口５側から差し込んで、プレート７に高さ調整具８を取り付ける。
【００１９】
高さ調整具８の取り付けは、嵌合体１６の外周端面に設けられた嵌合溝１４に帯状切り欠き部６の両側辺１２、１２および奥側端辺１３を嵌合させるよう差し込むことにより簡単に取り付けられる。また、一旦取り付けた後は、そう簡単には外れない。
【００２０】
ここで、高さ調整具８については、あらかじめ３つの高さ調整具８の高さを略同じ高さにして取り付けてあるため、その後の各高さ調整具８の高さ調整は微調整でよいこととなる。
そして、この微調整は、高さ調整具本体１０の頭部に設けられたボルト頭１７を回転させて行うことになる。
【００２１】
尚、この実施例では、連続的に接続されて設置される鉄筋コンクリート製のトンネル内通路壁部材１の高さ調整につき説明したが、これに限定されるものではなく、連続的に接続されて設置されるＵ字溝やボックスカルバートなどの構造物の高さ調整についても用いられるものである。
【００２２】
尚、前記プレート７については、図１２や図１３に示すものも考えられる。
即ち、プレート７の略中央には前記高さ調整具８が挿入できる様な大きさの貫通孔１９を設け、さらにこの貫通孔１９の端辺から、該貫通孔１９の外側に向かって延びる前記貫通孔１９に連通する帯状切り欠き部６を形成するのである。
【００２３】
このようなプレート７であっても、前記貫通孔１９内に高さ調整具８を挿入し、嵌合体１６の外周端面に形成してある嵌合溝１４と帯状切り欠き部６の両側辺１２、１２および奥側端辺１３とを嵌合させるよう差し込むことにより簡単に取り付けられるのである。
また、図１２、図１３には、プレート７に帯状切り欠き部６が設けられた他の実施例も記載してあり、このようなタイプのプレートを使用することも出来る。
【００２４】
また、プレート７に高さ調整具本体１０を差し込む方式ではなく、完全に固着してしまっても構わない。この場合は、あらかじめプレート7から突出する雄ねじ部である高さ調整具本体１０の螺挿長さを調節しておき、その後設置時に微調整を行えるようにすればよい。
【００２５】
以上、トンネル内通路壁部材１の平面状をなす底部を水平面状に保持する隅部３か所以上の箇所に、前記のような帯状切り欠き部６のあるプレート７を空間ができるように埋め込んでトンネル内通路壁部材１をあらかじめ製造しておく。尚、前述の様にプレート７の帯状切り欠き部６の形状は、その奥が角張っていること。例えば四角であることが要件となる。
【００２６】
そして、このプレート７の切り欠き形状よりやや小さくフィットする大きさの切れ込み溝、すなわち嵌合溝１４が外周端面に三面以上入ったナット状の嵌合体１６を用意し、このナット状の嵌合体１６にはボルト状の高さ調整具本体１０を適度な位置まであらかじめ螺挿して差し込んでおくのである。これらのトンネル内通路壁部材１を現場で接続施工していく。
【００２７】
まず、トンネル内通路壁部材１をクレーン等で吊し上げ、ナット状の嵌合体１６の切れ込み部である嵌合溝１４がプレート７の帯状切り欠き部６の両端辺１２、１２および奥側端辺１３に引っかかるように差し込み、そのトンネル内通路壁部材１をトンネル内の所定の位置に設置する。そして、これらトンネル内通路壁部材１の接続に際して、ボルト状をなす高さ調整具本体１０を回転させて高さを微調整して設置完了するものとなる。
【００２８】
このように、本発明の最大のメリットは、高さ調整具８を差し込んで、ボルト状をなす高さ調整具本体１０をわずかに回転させるだけで高さ調整ができることであり、施工速度が圧倒的に速いものとなる。
【符号の説明】
【００２９】
１    トンネル内通路壁部材
２    通路壁部
３    通路壁固定部
４    切り欠き空間
５    開口
６    帯状切り欠き部
７    プレート
８    高さ調整具
９    雄ねじ部
１０  高さ調整具本体
１１  雌ねじ部
１２  側辺
１３  奥側端辺
１４  嵌合溝
１５  固定用露出筋
１６  嵌合体
１７  ボルト頭
１８  鉄筋
１９  貫通孔
【図１】
2018100527.tif 000003
【図２】
2018100527.tif 000004
【図３】
2018100527.tif 000005
【図４】
2018100527.tif 000006
【図５】
2018100527.tif 000007
【図６】
2018100527.tif 000008
【図７】
2018100527.tif 000009
【図８】
2018100527.tif 000010
【図９】
2018100527.tif 000011
【図１０】
2018100527.tif 000012
【図１１】
2018100527.tif 000013
【図１２】
2018100527.tif 000014
【図１３】
2018100527.tif 000015
【手続補正書】
【提出日】平成28年12月22日(2016.12.22)
【手続補正１】
【補正対象書類名】図面
【補正対象項目名】図２
【補正方法】変更
【補正の内容】
【図２】
2018100527.tif 000016